(57)【要約】【課題】浴室暖房乾燥機における衣類の乾燥運転制御方法であって、予め設定したトータル運転時間ＴＭｔｏｌ内で、先ず、浴室の室温に応じて決定される乾燥運転時間ＴＭｋをトータル運転時間ＴＭｔｏｌから差し引いた時間だけ、循環ファンを作動させて浴室に涼風を送風すると共に換気ファンを作動させる涼風運転を行い、その後に乾燥運転時間ＴＭｋだけ、循環ファン及び加熱手段を作動させて浴室に温風を送風すると共に換気ファンを作動させる乾燥運転を行うものにおいて、トータル運転時間が長く設定された場合の過剰な乾燥運転によるエネルギーの浪費を防止できるようにする。【解決手段】乾燥運転時間ＴＭｋを、トータル運転時間ＴＭｔｏｌが長くなるほど乾燥運転時間ＴＭｋが短くなるように、浴室の室温だけでなくトータル運転時間ＴＭｔｏｌを加味して決定する。【選択図】図２
2010124941.tif 000002
【特許請求の範囲】
【請求項１】
浴室に吸込み口及び吹出し口を介して連通する機体内の通風路に配置した循環ファンと、通風路に流れる空気を加熱する加熱手段と、浴室の換気を行う換気ファンとを備える浴室暖房乾燥機における衣類の乾燥運転制御方法であって、
予め設定したトータル運転時間内で、先ず、浴室の室温に応じて決定される乾燥運転時間をトータル運転時間から差し引いた時間だけ、循環ファンを作動させて浴室に涼風を送風すると共に換気ファンを作動させる涼風運転を行い、その後に乾燥運転時間だけ、循環ファン及び加熱手段を作動させて浴室に温風を送風すると共に換気ファンを作動させる乾燥運転を行うものにおいて、
乾燥運転時間は、トータル運転時間が長くなるほど乾燥運転時間が短くなるように、浴室の室温だけでなくトータル運転時間を加味して決定されることを特徴とする浴室暖房乾燥機における乾燥運転制御方法。
【発明の詳細な説明】
【技術分野】
【０００１】
本発明は、浴室に吸込み口及び吹出し口を介して連通する機体内の通風路に配置した循環ファンと、通風路に流れる空気を加熱する加熱手段と、浴室の換気を行う換気ファンとを備える浴室暖房乾燥機における衣類の乾燥運転制御方法に関する。
【背景技術】
【０００２】
従来、この種の乾燥運転制御方法として、浴室の室温に応じて乾燥運転時間を決定し、予め設定したトータル運転時間内で、先ず、トータル運転時間から乾燥運転時間を差し引いた時間だけ、循環ファンを作動させて浴室に涼風を送風すると共に換気ファンを作動させる涼風運転を行い、その後に乾燥運転時間だけ、循環ファン及び加熱手段を作動させて浴室に温風を送風すると共に換気ファンを作動させる乾燥運転を行うようにしたものが知られている(例えば、特許文献１参照)。このものでは、浴室の室温が低いときは乾燥運転時間が長くなり、衣類を確実に乾燥させることができる。
【０００３】
ところで、トータル運転時間はユーザが適宜設定できるようになっている。そして、トータル運転時間が長く設定された場合、涼風運転の時間も長くなる。ここで、涼風運転中も衣類は徐々に乾燥する。そのため、涼風運転の時間が長くなると、その後の乾燥運転途中で衣類が乾燥してしまい、以後の乾燥運転は無駄になって、エネルギーの浪費になる。
【特許文献１】特開２００２−６２０４９号公報
【発明の開示】
【発明が解決しようとする課題】
【０００４】
本発明は、以上の点に鑑み、トータル運転時間が長く設定された場合の過剰な乾燥運転によるエネルギーの浪費を防止できるようにした浴室暖房乾燥機における乾燥運転制御方法を提供することをその課題としている。
【課題を解決するための手段】
【０００５】
上記課題を解決するために、本発明は、浴室に吸込み口及び吹出し口を介して連通する機体内の通風路に配置した循環ファンと、通風路に流れる空気を加熱する加熱手段と、浴室の換気を行う換気ファンとを備える浴室暖房乾燥機における衣類の乾燥運転制御方法であって、予め設定したトータル運転時間内で、先ず、浴室の室温に応じて決定される乾燥運転時間をトータル運転時間から差し引いた時間だけ、循環ファンを作動させて浴室に涼風を送風すると共に換気ファンを作動させる涼風運転を行い、その後に乾燥運転時間だけ、循環ファン及び加熱手段を作動させて浴室に温風を送風すると共に換気ファンを作動させる乾燥運転を行うものにおいて、乾燥運転時間は、トータル運転時間が長くなるほど乾燥運転時間が短くなるように、浴室の室温だけでなくトータル運転時間を加味して決定されることを特徴とする。
【０００６】
本発明によれば、トータル運転時間が長く設定された場合には乾燥運転時間が短くなる。そのため、過剰な乾燥運転によるエネルギーの浪費を防止することができる。
【発明を実施するための最良の形態】
【０００７】
図１を参照して、１は浴室ＢＲの天井部ＢＲａに設置する浴室暖房乾燥機を示している。この浴室暖房乾燥機１の機体１ａの下面には、浴室ＢＲ内に露出するカバー１ｂが設けられている。カバー１ｂには、固定ルーバ２１ａ付きの吸込み口２１と、可変ルーバ２２ａ付きの吹出し口２２とが形成されている。
【０００８】
機体１ａ内には、吸込み口２１及び吹出し口２２を介して浴室ＢＲに連通する通風路２が画成されている。通風路２には、循環ファン３が配置されると共に、循環ファン３より上流側(吸込み口２１側)の通風路２の部分に位置させて、通風路２に流れる空気を加熱する加熱手段たる放熱器４が配置されている。放熱器４には、図外の給湯暖房熱源機の暖房部で加熱された熱媒体(水、不凍液等)が供給される。そして、循環ファン３の作動により吸込み口２１から通風路２に吸込まれた浴室の空気が放熱器４で加熱され、温風となって吹出し口２２から浴室ＢＲ内に送風される。
【０００９】
浴室暖房乾燥機１は、更に、換気ファン５を備えている。換気ファン５は、機体１ａの外側面に取り付けた換気ボックス５１内のファンケーシング５２に水平姿勢で収納した、モータ５３により回転駆動される両吸込み型のシロッコファンで構成されている。ファンケーシング５２には、上下一対のベルマウス状の吸気口５２ａ，５２ａが形成されている。また、換気ボックス５１の内部空間は、機体１ａ内の通風路２の上側に画成した換気用通路２３を介して放熱器４の上流側の通風路２の部分(吸込み口２１に連通する部分)に連通している。
【００１０】
換気ファン５を回転させると、浴室ＢＲ内の空気が吸込み口２１、換気用通路２３及び換気ボックス５１の内部空間を経由してファンケーシング５２の上下の吸気口５２ａ，５２ａからファンケーシング５２内に吸込まれ、ファンケーシング５２の送気口に接続した図外のダクトを介して屋外に排気される。ここで、換気ファン５を本実施形態のように両吸込み型にすると、ファン効率が向上するため、ファン回転数が低くても所要の換気風量を得られるようになり、騒音を低減できる。また、換気ファン５の小型化も可能になるため、換気ボックス５１を小型化でき、天井裏の高さが低くても浴室暖房乾燥機１を設置できる。
【００１１】
また、機体１ａ内には、吸込み口２１から吸込まれた空気の温度、即ち、浴室ＢＲの室温を検出する室温センサ６と、コントローラ７とが配置されている。そして、暖房運転時、室温センサ６の検出温度が暖房設定温度になるように、放熱器４への熱媒体の供給と循環ファン３の回転数とがコントローラ７により制御される。
【００１２】
次に、図２を参照して、浴室ＢＲ内で衣類の乾燥を行う場合のコントローラ７による乾燥運転制御について説明する。ここで、衣類乾燥は、図外の浴室暖房乾燥機用リモコン(図示せず)により６〜１２時間の範囲内において３０分単位で可変設定されるトータル運転時間ＴＭｔｏｌだけ行われる。
【００１３】
乾燥運転制御では、先ず、ＳＴＥＰ１でリモコンに設けられた乾燥スイッチがオンされたか否かを判別し、オンされたときにＳＴＥＰ２に進み、循環ファン３を作動させて浴室ＢＲに涼風を送風すると共に換気ファン５を作動させる涼風運転を開始する。次に、ＳＴＥＰ３で涼風運転開始からの経過時間ＴＭが所定の待ち時間ＴＭｗに達したか否かを判別する。そして、ＴＭ＝ＴＭｗになったときにＳＴＥＰ４に進み、この時点で室温センサ６により検出される浴室ＢＲの室温とトータル運転時間ＴＭｔｏlとに基づいて後記詳述するように乾燥運転時間ＴＭｋを決定する。
【００１４】
尚、待ち時間ＴＭｗが経過してからＳＴＥＰ４に進むのは、浴室ＢＲの室温が外気温と同等になるまで乾燥運転時間ＴＭｋの決定に用いる室温の検出を待つためである。この待ち時間ＴＭｗは、入浴直後等では浴室ＢＲの室温が外気温と大きく異なることを考慮して、例えば２時間に設定されている。
【００１５】
ＳＴＥＰ４で乾燥運転時間ＴＭｋを決定すると、次に、ＳＴＥＰ５に進み、涼風運転開始からの経過時間ＴＭがトータル運転時間ＴＭｔｏｌから乾燥運転時間ＴＭｋを差し引いた時間に達したか否かを判別する。そして、ＴＭ＝ＴＭｔｏｌ−ＴＭｋになったときにＳＴＥＰ６に進み、循環ファン３を作動させながら放熱器４に熱媒体を供給して浴室ＢＲに温風を送風すると共に換気ファン５を作動させる乾燥運転を行う。次に、ＳＴＥＰ７で涼風運転開始からの経過時間ＴＭがトータル運転時間ＴＭｔｏｌに達したか否かを判別し、ＴＭ＝ＴＭｔｏｌになったとき、ＳＴＥＰ８に進んで乾燥運転を終了する。
【００１６】
ところで、乾燥運転時間ＴＭｋは、図２のＳＴＥＰ４の右側に示すように、浴室ＢＲの室温が高くなるほど短く設定され、更に、トータル運転時間ＴＭｔｏlが長くなるほど短く設定される。このように、乾燥運転時間ＴＭｋを浴室ＢＲの室温だけでなくトータル運転時間ＴＭｔｏｌを加味して決定する理由を以下に説明する。
【００１７】
図３に示す如く、涼風運転中も衣類は徐々に乾燥する。そして、図３(ｂ)に示すようにトータル運転時間ＴＭｔｏlが長くなると、涼風運転時間も長くなり、乾燥運転開始時点での衣類の乾燥率が高くなる。そのため、トータル運転時間ＴＭｔｏlが長い場合に、乾燥運転時間ＴＭｋをトータル運転時間ＴＭｔｏlが比較的短い図３(ａ)に示す場合と同様に設定すると、乾燥運転の途中で図３(ｂ)に仮想線で示すように衣類の乾燥率が１００％に達してしまう。そして、乾燥率が１００％に達した後の乾燥運転は無駄になって、エネルギーの浪費になる。
【００１８】
これに対し、トータル運転時間ＴＭｔｏlが長くなるほど乾燥運転時間ＴＭｋを短く設定すれば、図３(ｂ)に実線で示すように乾燥率が乾燥運転の終期で１００％に達するようになる。そのため、過剰な乾燥運転によるエネルギーの浪費を抑制することができる。
【００１９】
以上、本発明の実施形態について図面を参照して説明したが、本発明はこれに限定されない。例えば、上記実施形態では、加熱手段として放熱器４を用いているが、電気式ヒータを加熱手段として用いることも可能である。また、図２のＳＴＥＰ４の右側に示した乾燥運転時間ＴＭｋの値は一例であって、この値に限定されるものではない。
【図面の簡単な説明】
【００２０】
【図１】本発明方法の実施に用いる浴室暖房乾燥機の一例の切断側面図。
【図２】本発明の実施形態の乾燥運転制御方法を示すフロー図。
【図３】衣類の乾燥率の変化を示すグラフ。
【符号の説明】
【００２１】
１…浴室暖房乾燥機、１ａ…機体、２…通風路、２１…吸込み口、２２…吹出し口、３…循環ファン、４…放熱器、５…換気ファン、６…室温センサ、７…コントローラ、ＴＭ…涼風運転開始からの経過時間、ＴＭｋ…乾燥運転時間、ＴＭｔｏｌ…トータル運転時間。
【図１】
2010124941.tif 000003
【図２】
2010124941.tif 000004
【図３】
2010124941.tif 000005